(57)【要約】      （修正有）【課題】建物の床パネルの下に機器の配線を敷設する二重床に関し、製造のコストを低減できると共に、部品の組立てもよりスムーズになり、環境への悪影響も減少させた二重床の支持脚を提供する。【解決手段】板体１１と、板体の上面に延設される支持ボルト１２とを備えるベース１０と、支持ボルトに螺合されると共に、下段に当接部が設けられ、上段に組立部が設けられ、当接部の外径が組立部の外径より大きく、また、当接部と組立部との間に締め付け部が設けられ、締め付け部は、係合首部と、係合首部の上縁から径方向に拡がる環状の挟持縁部とを備えるチューブと、中央に貫通孔が形成され、貫通孔がチューブの締め付け部の係合首部と対応するように、貫通孔の周囲の内周縁がチューブの当接部と締め付け部の挟持縁部とに挟持されるプレート４０と、を有することを特徴とする。【選択図】図１
0003184819.tif 000002
【実用新案登録請求の範囲】
【請求項１】
板体と、該板体の上面に延設される支持ボルトとを備えるベースと、
前記支持ボルトに螺合されると共に、下段に当接部が設けられ、上段に組立部が設けられ、該当接部の外径が該組立部の外径より大きく、また、該当接部と該組立部との間に締め付け部が設けられ、該締め付け部は、係合首部と、該係合首部の上縁から径方向に拡がる環状の挟持縁部とを備えるチューブと、
中央に貫通孔が形成され、該貫通孔が前記チューブの締め付け部の係合首部と対応するように、該貫通孔の周囲の内周縁が該チューブの当接部と締め付け部の挟持縁部とに挟持されるプレートと、を有することを特徴とする二重床の支持脚。
【請求項２】
前記挟持縁部は、前記チューブの締め付け部をパンチして押し出すものであることを特徴とする請求項１に記載の二重床の支持脚。
【請求項３】
さらに、前記プレートに係合され、中央に中心孔が形成されると共に、該中心孔の中心軸線が前記チューブの中心軸線と同一である支持キャップと、
前記チューブの軸方向に沿って挿設され、上端にヘッドが設けられる組立ボルトと、を有することを特徴とする請求項１に記載の二重床の支持脚。
【請求項４】
さらに、前記プレートに係合され、中央に中心孔が形成されると共に、該中心孔の中心軸線が前記チューブの中心軸線と同一である支持キャップと、
前記チューブの軸方向に沿って挿設され、上端にヘッドが設けられる組立ボルトと、を有することを特徴とする請求項２に記載の二重床の支持脚。
【請求項５】
前記チューブの当接部の外周面に位置決め穴が形成され、
また、該位置決め穴に挿設するように該チューブに取り付けられ、内端が前記支持ボルトに当接可能な当接ボルトを備えることを特徴とする請求項１または２に記載の二重床の支持脚。
【請求項６】
前記チューブの当接部の外周面に位置決め穴が形成され、
また、該位置決め穴に挿設するように該チューブに取り付けられ、内端が前記支持ボルトに当接可能な当接ボルトを備えることを特徴とする請求項３または４に記載の二重床の支持脚。
【請求項７】
前記チューブの内周面に雌ねじが形成され、該雌ねじによって該チューブが前記支持ボルトに螺合され、
前記組立ボルトが該チューブの雌ねじに螺合されることを特徴とする請求項３または４に記載の二重床の支持脚。
【請求項８】
前記チューブの内周面に雌ねじが形成され、該雌ねじによって該チューブが前記支持ボルトに螺合され、
前記組立ボルトが該チューブの雌ねじに螺合されることを特徴とする請求項６に記載の二重床の支持脚。
【考案の詳細な説明】
【技術分野】
【０００１】
本考案は、特に二重床の床パネルを支えるための支持脚に関するものである。
【背景技術】
【０００２】
二重床は主に、フロアに複数の支持脚を設置し、それら支持脚の間に床パネルを設置することにより、フロアと床パネルとの間に空間を形成するものである。こうすることにより、建物の中におけるその空間を利用して各種機器の配線を収納することができる。故に、建物の中のケーブルや電話線、LANケーブルなどの複雑な配線を床パネルの下に収納でき、建物内の本来の空間を全て有効利用できると共に、機器などの配線も安全に敷設することができる。
【０００３】
既存の二重床の支持脚は、ベースと、チューブと、支持プレートとを有し、該ベースの上面にボルトが上方に向かって延設され、該チューブは該ボルトに環着され、該支持プレートは、中央部に穴が形成され、この穴を介して該チューブに取り付けられる。しかしながら、この構成よると、該チューブと支持プレートとを溶接手段によって結合させてから電気めっき加工を行う必要がある。
【考案の概要】
【考案が解決しようとする課題】
【０００４】
このように、既存の二重床の支持脚は、チューブと支持プレートとを溶接手段してから電気めっき加工を行わなければならないことから、製造に手間がかかり、コストも高く、環境にも悪影響を与えてしまうので、それらの問題を解決するために、製造技術を改良する必要があった。
【課題を解決するための手段】
【０００５】
本考案に係る二重床の支持脚は、板体と、該板体の上面に延設される支持ボルトとを備えるベースと、
前記支持ボルトに螺合されると共に、下段に当接部が設けられ、上段に組立部が設けられ、該当接部の外径が該組立部の外径より大きく、また、該当接部と該組立部との間に締め付け部が設けられ、該締め付け部は、係合首部と、該係合首部の上縁から径方向に拡がる環状の挟持縁部とを備えるチューブと、
中央に貫通孔が形成され、該貫通孔が前記チューブの締め付け部の係合首部と対応するように、該貫通孔の周囲の内周縁が該チューブの当接部と締め付け部の挟持縁部とに挟持されるプレートと、を有するものである。
【０００６】
かかる二重床の支持脚において、前記挟持縁部は、前記チューブの締め付け部をパンチして押し出すものであることが好ましい。
【０００７】
かかる二重床の支持脚において、前記プレートに係合され、中央に中心孔が形成されると共に、該中心孔の中心軸線が前記チューブの中心軸線と同一である支持キャップと、
前記チューブの軸方向に沿って挿設され、上端にヘッドが設けられる組立ボルトと、を有することが好ましい。
【０００８】
かかる二重床の支持脚において、前記チューブの当接部の外周面に位置決め穴が形成され、
また、該位置決め穴に挿設するように該チューブに取り付けられ、内端が前記支持ボルトに当接可能な当接ボルトを備えることが好ましい。
【０００９】
かかる二重床の支持脚において、前記チューブの内周面に雌ねじが形成され、該雌ねじによって該チューブが前記支持ボルトに螺合され、
前記組立ボルトが該チューブの雌ねじに螺合されることが好ましい。
【考案の効果】
【００１０】
本考案に係る二重床の支持脚は、上述の構造を有するので、パンチしたチューブがプレートをしっかりと挟持することができ、チューブとプレートとの結合に溶接や電気めっきなどの加工を用いる必要もないことから、製造のコストを低減できると共に、部品の組立てもよりスムーズになり、環境への悪影響も減少する。
【図面の簡単な説明】
【００１１】
【図１】本考案に係る二重床の支持脚の使用状態を示す斜視図である。
【図２】本考案に係る二重床の支持脚の分解斜視図である。
【図３】本考案に係る二重床の支持脚において、締め付け部をパンチしてプレートをチューブに締め付けた状態を示す部分断面図である。
【図４】本考案に係る二重床の支持脚において、締め付け部をパンチする前における、プレートがチューブに取り付けられた状態を示す部分断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係る二重床の支持脚は、ベース１０と、チューブ２０と、当接ボルト３０と、プレート４０と、支持キャップ５０と、組立ボルト６０とを有し、その内、該ベース１０は、板体１１と、該板体１１の上面に上方に向かって延設される支持ボルト１２とを備える。
【００１４】
図３に示すように、前記チューブ２０は、移動自在に支持ボルト１２に螺合され、その内周面には雌ねじ２１が形成され、この雌ねじ２１が支持ボルト１２に螺合されることによって、チューブ２０を移動自在に支持ボルト１２に取り付ける。この構成によれば、チューブ２０が回転すると、チューブ２０が支持ボルト１２に沿って上方または下方へ移動可能となる。
【００１５】
また、前記チューブ２０は、下段に当接部２２が設けられると共に、上段に組立部２３が設けられ、該当接部２２の外径は該組立部２３の外径より大きく、更に、該当接部２２の外周面に位置決め穴２４が形成される。また、前記チューブ２０の当接部２２と組立部２３との間に締め付け部２５が設けられ、該締め付け部２５は、係合首部２５１と、該係合首部２５１の上縁から径方向に拡がる環状の挟持縁部２５２とを備える。
【００１６】
前記当接ボルト３０は、位置決め穴２４に挿設されるようにチューブ２０に取り付けられ、該当接ボルト３０をねじることによって、当接ボルト３０とチューブ２０との相対位置を調整する。また、該当接ボルト３０の内端が支持ボルト１２に当接すると、チューブ２０は、支持ボルト１２に対して回転することができなくなり、チューブ２０と支持ボルト１２とが位置決められる。
【００１７】
前記プレート４０の中央に貫通孔４１が形成され、該プレート４０における貫通孔４１の周囲の内周縁は、該チューブ２０の締め付け部２５の係合首部２５１と対応するように、該チューブ２０の当接部２２と締め付け部２５の挟持縁部２５２とに挟持されるので、該プレート４０を該チューブ２０にしっかりと締め付けることができる。
【００１８】
図４に示すように、本考案に係る二重床の支持脚について、チューブ２０の締め付け部２５は、プレート４０をチューブ２０に締め付ける前においてもともと、組立部２３の外周面に設けられ、外周面が円筒状であることから、プレート４０を締め付け部２５に環装させることができる。
【００１９】
図３に示すように、その後、チューブ２０の締め付け部２５をパンチすると、該締め付け部２５の一部を変形させて挟持縁部２５２を押し出すと共に、該締め付け部２５の変形していない箇所は係合首部２５１となる。この構成によれば、パンチで押し出された挟持縁部２５２によって、プレート４０の貫通孔４１の周囲の内周縁をチューブ２０の当接部２２と締め付け部２５とにしっかりと挟持させることができる。
【００２０】
前記支持キャップ５０は、プレート４０の上部に重ねるように係合され、中央部に中心孔５１が形成され、該支持キャップ５０の中心孔５１の中心軸線はチューブ２０の中心軸線と同一である。
【００２１】
前記組立ボルト６０は、支持キャップ５０の上面から中心孔５１を通過するように、該支持キャップ５０に取り付けられ、また、該組立ボルト６０は、前記チューブ２０の雌ねじ２１に螺合されるように、該チューブ２０の軸心方向に沿って挿設され、その上端にヘッド６１が設けられる。
【００２２】
図１に示すように、本考案では、二重床の支持脚を用いて四枚の床パネル７０を支え、各床パネル７０の一つの隅角部が支持キャップ５０の上面に置かれ、組立ボルト６０によりヘッド６１と支持キャップ５０の上面との間に挟持される。
【００２３】
上述したように、本考案に係る二重床の支持脚では、チューブ２０をパンチすることによって、該チューブ２０がプレート４０をしっかりと挟持できることから、該チューブ２０とプレート４０との接着箇所において溶接及び電気めっきなどの加工を用いる必要がないので、製造のコストを低減できると共に、部品の組立てもスムーズに行うことができ、さらに、環境にやさしいというメリットも有する。
【符号の説明】
【００２４】
１０ ベース
１１ 板体
１２ 支持ボルト
２０ チューブ
２１ 雌ねじ
２２ 当接部
２３ 組立部
２４ 位置決め穴
２５ 締め付け部
２５１ 係合首部
２５２ 挟持縁部
３０ 当接ボルト
４０ プレート
４１ 貫通孔
５０ 支持キャップ
５１ 中心孔
６０ 組立ボルト
６１ ヘッド
７０ 床パネル
【図１】
0003184819.tif 000003
【図２】
0003184819.tif 000004
【図３】
0003184819.tif 000005
【図４】
0003184819.tif 000006